(57)【特許請求の範囲】
【請求項１】
それぞれコネクタ付電線における電線部分の端部を挟持する複数の電線挟持部が一列に並んで形成された棒状の電線保持部材と、
前記電線保持部材を横方向に沿う状態で支持する支持部と、
前記支持部に支持された前記電線保持部材に沿う位置において複数の前記電線挟持部の配列範囲全体に亘る幅で形成されるとともに、前記電線保持部材に沿う位置から側方へ徐々に幅が狭まる形状で張り出して形成され、上面が前記電線挟持部各々から延び出る前記電線部分を下方から支える支面を成す電線受け部と、を備えるコネクタ付電線配列用具。
【請求項２】
請求項１に記載のコネクタ付電線配列用具であって、
前記電線受け部の上面は、幅方向両端の縁部よりもそれらの間の中央部の方が凹んで形成されている、コネクタ付電線配列用具。
【請求項３】
請求項１又は請求項２に記載のコネクタ付電線配列用具であって、
前記電線受け部は、前記電線保持部材に沿う位置から側方における前記電線保持部材の一端側へ偏った位置へ向けて徐々に幅が狭まる形状で形成されている、コネクタ付電線配列用具。
【発明の詳細な説明】
【技術分野】
【０００１】
本発明は、棒状の部材上に複数のコネクタ付電線を配列するために用いられるコネクタ付電線配列用具に関する。
【背景技術】
【０００２】
自動車などの車両に搭載されるワイヤハーネスは、複数のコネクタ付電線を備える場合が多い。コネクタ付電線は、電線と電線の端部に接続されたコネクタとを有する。コネクタ付電線における電線は、通常、端部に端子が接続された端子付電線である。端子付電線の端子がコネクタのキャビティに挿入されることにより、コネクタ付電線が製造される。
【０００３】
コネクタ付電線の組立工程において、複数のコネクタ付電線が、複数の単位工程各々において組付けの対象となるものごとにひとまとめにされ、次工程へ移送される。その際、単位工程ごとのコネクタ付電線群は、棒状の電線保持部材上に配列されることによってひとまとめにされる。
【０００４】
電線保持部材は、それぞれコネクタ付電線における電線部分の端部を挟持する複数の電線挟持部が一列に並んで形成された棒状の部材である。特許文献１に示される電線保持バーは、電線保持部材の一例である。
【先行技術文献】
【特許文献】
【０００５】
【特許文献１】特開２０１３−８５５２号公報
【発明の概要】
【発明が解決しようとする課題】
【０００６】
従来、コネクタ付電線の組立工程において、コネクタ付電線各々における電線部分の両端部が、横向きに支持された電線保持部材における電線挟持部各々に順次セットされる。これにより、複数のコネクタ付電線は、それらの電線部分の両端部が直線方向に沿って並んだ状態で電線挟持部に保持される。
【０００７】
また、電線保持部材に保持されたコネクタ付電線各々の電線部分における両端部の間の中間部は、電線保持部材から垂れ下がった状態となる。また、電線部分の中間部は、電線保持部材の長手方向において広がって垂れ下がる。
【０００８】
ところで、作業者が、コネクタ付電線各々の端部を電線挟持部にセットしようとする際に、誤ってコネクタの部分を落としてしまう場合がある。この場合、コネクタの部分が垂れ下がった電線の間を通って落下すると、電線部分が引き上げられてもコネクタが垂れ下がった電線に引っ掛かる。そのため、コネクタ部分の落下に起因するコネクタ付電線の縺れが生じやすい。
【０００９】
本発明は、棒状の部材上に複数のコネクタ付電線を配列するために用いられるコネクタ付電線配列用具において、コネクタ部分の落下に起因するコネクタ付電線の縺れを防ぐことを目的とする。
【課題を解決するための手段】
【００１０】
第１態様に係るコネクタ付電線配列用具は、以下に示される各構成要素を備える。
（１）第１の構成要素は、それぞれコネクタ付電線における電線部分の端部を挟持する複数の電線挟持部が一列に並んで形成された棒状の電線保持部材である。
（２）第２の構成要素は、上記電線保持部材を横方向に沿う状態で支持する支持部である。
（３）第３の構成要素は、上面が上記電線挟持部各々から延び出る上記電線部分を下方から支える支面を成す電線受け部である。上記電線受け部は、上記支持部に支持された上記電線保持部材に沿う位置において複数の上記電線挟持部の配列範囲全体に亘る幅で形成されるとともに、上記電線保持部材に沿う位置から側方へ徐々に幅が狭まる形状で張り出して形成されている。
【００１１】
第２態様に係るコネクタ付電線配列用具は、第１態様に係るコネクタ付電線配列用具の一態様である。第２態様に係るコネクタ付電線配列用具において、上記電線受け部の上面は、幅方向両端の縁部よりもそれらの間の中央部の方が凹んで形成されている。
【００１２】
第３態様に係るコネクタ付電線配列用具は、第１態様又は第２態様に係るコネクタ付電線配列用具の一態様である。第３態様に係るコネクタ付電線配列用具において、上記電線受け部は、上記電線保持部材に沿う位置から側方における上記電線保持部材の一端側へ偏った位置へ向けて徐々に幅が狭まる形状で形成されている。
【発明の効果】
【００１３】
上記の各態様において、棒状の電線保持部材に保持されたコネクタ付電線各々における電線の部分は、電線受け部の上面によって下方から支えられる。そのため、電線保持部材の電線挟持部各々から延び出る電線は、電線保持部材の下方へ垂れ下がらない。即ち、作業者は、コネクタ付電線における電線の部分を電線受け部上に載せた状態で、電線部分の端部を電線保持部材の電線挟持部にセットすることができる。
【００１４】
また、電線受け部は、電線保持部材に沿う位置から側方へ徐々に幅が狭まる形状で張り出して形成されている。従って、作業者は、電線受け部における幅の狭い部分の横に立つことにより、電線受け部が邪魔になることなく、電線受け部が存在する側から電線保持部材に対して容易にアクセスできる。
【００１５】
上記の各態様によれば、作業者が、電線受け部以外の位置にコネクタ付電線のコネクタ部分を落としてしまっても、コネクタ部分が電線受け部上の電線の間に落下することはない。また、作業者が、電線受け部上でコネクタ付電線のコネクタ部分を落としてしまった場合、電線受け部は、コネクタ部分が電線受け部上の電線の間を通過してさらに下方へ落下することを防ぐ。
【００１６】
従って、上記の各態様によれば、棒状の部材上に複数のコネクタ付電線が配列される際に、コネクタ部分の落下に起因するコネクタ付電線の縺れを防ぐことができる。なお、このことは、電線保持部材上に配列された複数のコネクタ付電線が電線保持部材から取り外される際においても同様である。
【００１７】
また、第２態様において、電線受け部の上面（支面）は、幅方向両端の縁部よりもそれらの間の中央部の方が凹んで形成されている。これにより、コネクタ付電線における電線の部分が電線受け部上からずれ落ちてしまうことが防がれる。
【００１８】
また、第３態様において、電線受け部は、電線保持部材に沿う位置から側方における電線保持部材の一端側へ偏った位置へ向けて徐々に幅が狭まる形状で形成されている。これにより、作業者の作業スペースが広くなり、作業者は、電線受け部が存在する側から電線保持部材の両端部の各々に近い電線挟持部に対してより容易にアクセスすることができる。
【図面の簡単な説明】
【００１９】
【図１】第１実施形態に係るコネクタ付電線配列用具１０の斜視図である。
【図２】コネクタ付電線配列用具１０の平面図である。
【図３】コネクタ付電線配列用具１０が備える電線受け板の断面図である。
【図４】コネクタ付電線がセットされたコネクタ付電線配列用具１０の斜視図である。
【図５】第２実施形態に係るコネクタ付電線配列用具１０Ａの平面図である。
【発明を実施するための形態】
【００２０】
以下、添付の図面を参照しながら、実施形態について説明する。以下の実施形態は、本発明を具体化した一例であり、本発明の技術的範囲を限定する事例ではない。
【００２１】
＜第１実施形態＞
まず、図１〜４を参照しつつ、第１実施形態に係るコネクタ付電線配列用具１０について説明する。コネクタ付電線配列用具１０は、棒状の部材上に複数のコネクタ付電線９を配列するために用いられる。
【００２２】
コネクタ付電線は、電線９１と電線９１の端部に接続されたコネクタ９２とを有する。電線９１は、通常、端部に端子が接続された端子付電線である。コネクタ付電線９において、電線９１の端部に接続された端子がコネクタ９２のキャビティに挿入されている。以下の説明において、コネクタ付電線９におけるコネクタ９２から延び出た電線９１の部分の端部、即ち、電線９１におけるコネクタ９２寄りの部分のことを電線端部９１０と称する。
【００２３】
コネクタ付電線配列用具１０は、電線保持バー１、バー支持部２及び電線受け部３を備えている。
【００２４】
電線保持バー１は、複数のコネクタ付電線９各々の電線端部９１０を挟んで保持する棒状の部材である。電線保持バー１は、棒状の基部１１と基部１１上に一列に並んで形成された複数の電線挟持部１２とを有する。電線挟持部１２各々は、コネクタ付電線９の電線端部９１０を挟んで支持する部分である。複数の電線挟持部１２は、電線保持バー１の長手方向に沿って配列されている。
【００２５】
バー支持部２は、電線保持バー１を横方向に沿う状態で支持する部分である。例えば、バー支持部２は、電線保持バー１を水平向に沿う状態で支持する。ここで、横方向という用語は、水平方向の他、水平方向に対して僅かに傾斜した方向も含むことを意味する。
【００２６】
バー支持部２は、支柱部２１と固定座２２とを有している。固定座２２は、電線保持バー１の基部１１を取り外し可能に保持する部分である。図１，２が示す例では、２つの固定座２２が、電線保持バー１における基部１１の第一端部１１１及び第二端部１１２の各々を保持している。
【００２７】
支柱部２１は、固定座２２を予め定められた位置で支持する部分である。図１，２が示す例では、支柱部２１は、複数の固定座２２各々を同じ高さの位置で支持している。これにより、電線保持バー１が水平に沿う姿勢で支持される。
【００２８】
コネクタ付電線９各々は、それら各々のコネクタ９２が電線保持バー１からその第一側方へ張り出す姿勢で電線挟持部１２各々に留められる。従って、電線保持バー１に保持されたコネクタ付電線９各々の電線９１の部分は、電線挟持部１２各々から電線保持バー１の第二側方へ延び出る状態となる。
【００２９】
例えば、電線挟持部１２は、それぞれ電線端部９１０が挿入されるスリットが形成された２枚の板状のゴム部材と、それら２枚のゴム部材の縁部を保持する枠部材とを有する。この場合、電線挟持部１２は、電線端部９１０をゴム部材の弾性力によって挟んで支持する。
【００３０】
或いは、電線挟持部１２が、合成樹脂などからなる可撓性を有する一対の部材を有することも考えられる。この場合、電線挟持部１２における一対の部材は、弾性変形により生じる弾性力によって電線９１を挟んで留める。また、電線挟持部１２が、不図示のバネなどの弾性体によって相互に近接する方向への弾性力が加えられた一対の部材を有することも考えられる。
【００３１】
通常、電線保持バー１に保持されたコネクタ付電線９各々は、その両端部各々にコネクタ９２が接続されている。そして、複数のコネクタ付電線９各々における両端の電線端部９１０が、１つの電線保持バー１における電線挟持部１２のいずれかに留められる。
【００３２】
電線受け部３は、電線挟持部１２各々から延び出る電線９１の部分を下方から支える部分である。電線受け部３は、電線支持板３１と板支持部３２とを有している。板支持部３２は、電線支持板３１を予め定められた位置で支持する部分である。
【００３３】
電線支持板３１は、電線保持バー１に沿う位置から側方へ張り出して形成された部材である。この電線支持板３１の上面は、電線挟持部１２各々から延び出る電線９１を下方から支える支面を成している。
【００３４】
電線支持板３１は、バー支持部２に支持された電線保持バー１に沿う第一板部３１１と第一板部３１１に連なる第二板部３１２と第二板部３１２に連なる第三板部３１３とを有している。
【００３５】
電線支持板３１の第一板部３１１は、複数の電線挟持部１２の配列範囲全体に亘る幅で形成されている。また、第二板部３１２は、第一板部３１１側からその反対側の側方へ徐々に幅が狭まる形状で張り出して形成されている。また、第三板部３１３は、第二板部３１２から下方へ曲がって垂下した部分である。
【００３６】
即ち、電線支持板３１は、バー支持部２に支持された電線保持バー１に沿う位置において複数の電線挟持部１２の配列範囲全体に亘る幅で形成されており、さらに、電線保持バー１に沿う位置から側方へ徐々に幅が狭まる形状で張り出して形成されている。
【００３７】
本実施形態における電線支持板３１は、電線保持バー１に沿う位置から側方における電線保持バー１の第二端部１１２側へ偏った位置へ向けて徐々に幅が狭まる形状で形成されている。
【００３８】
図３は、図２に示されるＩＩ−ＩＩ平面における電線支持板３１に断面図である。図３が示すように、電線支持板３１の上面、即ち、電線受け部３の上面は、幅方向両端の縁部よりもそれらの間の中央部の方が凹んで形成されている。なお、幅方向とは、電線保持バー１の長手方向である。
【００３９】
＜作用及び効果＞
次に、コネクタ付電線配列用具１０が用いられることによる作用及び効果について説明する。コネクタ付電線９を取り扱う作業者は、電線受け部３における第二板部３１２の横に立ってコネクタ付電線９を電線保持バー１にセットする。
【００４０】
コネクタ付電線９の端部は、それを摘んだ作業者によってコネクタ付電線配列用具１０から離れた位置から電線保持バー１の電線挟持部１２の位置へ移される。その際、コネクタ９２から延び出た電線９１の部分が、電線支持板３１上に載るようにして、コネクタ付電線９の位置が移される。
【００４１】
コネクタ９２から延び出た電線９１の部分は、電線支持板３１上に載せられる際に電線支持板３１の第三板部３１３の表面を滑り上がる。第三板部３１３は、電線支持板３１上に載せられる電線９１が電線支持板３１の縁に引っ掛かることを防ぐ。
【００４２】
さらに、作業者は、電線９１の部分が電線支持板３１上に載るようにしながら、電線端部９１０を電線保持バー１の電線挟持部１２にセットする。図４はそのようにして複数のコネクタ付電線９がセットされたコネクタ付電線配列用具１０を示している。
【００４３】
図４が示すように、電線保持バー１に保持されたコネクタ付電線９各々における電線９１の部分は、電線支持板３１の上面によって下方から支えられる。そのため、電線保持バー１の電線挟持部１２各々から延び出る電線９１は、電線保持バー１の下方へ垂れ下がらない。即ち、作業者は、コネクタ付電線９における電線９１の部分を電線支持板３１上に載せた状態で、電線端部９１０を電線保持バー１の電線挟持部１２にセットすることができる。
【００４４】
また、電線受け部３は、電線保持バー１に沿う位置から側方へ徐々に幅が狭まる形状で張り出して形成されている。従って、作業者は、幅の狭い第二板部３１２の横に立つことにより、電線受け部３が邪魔になることなく、電線受け部３が存在する側から電線保持バー１に対して容易にアクセスできる。
【００４５】
そして、作業者が、電線受け部３以外の位置にコネクタ付電線９のコネクタ９２の部分を落としてしまっても、コネクタ９２の部分が電線受け部３上の電線９１の間に落下することはない。
【００４６】
また、作業者が、電線受け部３上でコネクタ付電線９のコネクタ９２の部分を落としてしまった場合、電線支持板３１は、コネクタ９２の部分が電線支持板３１上の電線９１の間を通過してさらに下方へ落下することを防ぐ。
【００４７】
従って、コネクタ付電線配列用具１０が採用されれば、電線保持バー１上に複数のコネクタ付電線９が配列される際に、コネクタ９２の部分の落下に起因するコネクタ付電線９の縺れを防ぐことができる。なお、このことは、電線保持バー１上に配列された複数のコネクタ付電線９が電線保持バー１から取り外される際においても同様である。
【００４８】
また、電線支持板３１の上面、即ち、電線受け部３の上面は、幅方向両端の縁部よりもそれらの間の中央部の方が凹んで形成されている。これにより、コネクタ付電線９における電線９１の部分が電線支持板３１上からずれ落ちてしまうことが防がれる。
【００４９】
また、電線受け部３は、電線保持バー１に沿う位置から側方における電線保持バー１の一端側へ偏った位置へ向けて徐々に幅が狭まる形状で形成されている。これにより、作業者の作業スペースが広くなり、作業者は、電線受け部３が存在する側から電線保持バー１の両端部の各々に近い電線挟持部１２に対してより容易にアクセスすることができる。
【００５０】
＜第２実施形態＞
次に、図５を参照しつつ、第２実施形態に係るコネクタ付電線配列用具１０Ａについて説明する。コネクタ付電線配列用具１０Ａは、図１〜４に示されたコネクタ付電線配列用具１０と比較して、電線支持板の輪郭形状が異なる。図５において、図１〜４に示される構成要素と同じ構成要素は、同じ参照符号が付されている。以下、コネクタ付電線配列用具１０Ａにおけるコネクタ付電線配列用具１０と異なる点について説明する。
【００５１】
コネクタ付電線配列用具１０Ａは、電線保持バー１、バー支持部２及び電線受け部３Ａを備えている。
【００５２】
電線受け部３Ａは、電線挟持部１２各々から延び出る電線９１の部分を下方から支える部分である。電線受け部３Ａは、電線支持板３１Ａと板支持部３２とを有している。板支持部３２は、電線支持板３１Ａを予め定められた位置で支持する。
【００５３】
電線支持板３１Ａは、バー支持部２に支持された電線保持バー１に沿う第一板部３１１Ａと第一板部３１１Ａに連なる第二板部３１２Ａと第二板部３１２Ａに連なる第三板部３１３とを有している。
【００５４】
第一板部３１１Ａは、複数の電線挟持部１２の配列範囲全体に亘る幅で形成されている。また、第二板部３１２Ａは、第一板部３１１Ａ側からその反対側の側方へ徐々に幅が狭まる形状で張り出して形成されている。また、第三板部３１３は、第二板部３１２から下方へ曲がって垂下した部分である。
【００５５】
本実施形態における電線支持板３１Ａは、電線保持バー１に沿う位置から電線保持バー１の中央の側方へ向けて徐々に幅が狭まる形状で形成されている。
【００５６】
コネクタ付電線配列用具１０Ａが用いられる場合も、コネクタ付電線９を取り扱う作業者は、電線受け部３Ａにおける第二板部３１２Ａの横に立ってコネクタ付電線９を電線保持バー１にセットする。
【００５７】
コネクタ付電線配列用具１０Ａが採用された場合も、コネクタ付電線配列用具１０が採用される場合と同様の効果が得られる。
【００５８】
但し、コネクタ付電線配列用具１０Ａにおいて電線保持バー１が特に長い場合、作業者は、アクセスする電線挟持部１２の位置に応じて立ち位置を変更する必要があるかもしれない。即ち、作業者は、第二板部３１２Ａに対して電線保持バー１の第一端部１１１側及び第二端部１１２側の一方から他方へ立ち位置を変更する必要があるかもしれない。
【００５９】
＜応用例＞
コネクタ付電線配列用具１０，１０Ａにおいて、バー支持部２が、当該バー支持部２を次の工程の位置へ順次移動させる移送機構に支持されていることも考えられる。この場合、移送機構は、バー支持部２を予め定められた位置へ移動させることにより、バー支持部２に支持された電線保持バー１を電線受け部３の第一板部３１１，３１１Ａに沿う位置に位置決めする。
【００６０】
また、電線受け部３における電線９１を下方から支える部分は、板状であるとは限らない。例えば、電線受け部３における電線９１を下方から支える部分が、シート状の部材などであることも考えられる。
【００６１】
なお、本発明に係るコネクタ付電線配列用具は、各請求項に記載された発明の範囲において、以上に示された各実施形態及び応用例を自由に組み合わせること、或いは各実施形態及び応用例を適宜、変形する又は一部を省略することによって構成されることも可能である。
【符号の説明】
【００６２】
１０，１０Ａ  コネクタ付電線配列用具
１  電線保持バー（電線保持部材）
１１  電線保持バーの基部
１１１  電線保持バーの第一端部
１１２  電線保持バーの第二端部
１２  電線挟持部
２  バー支持部
２１  支柱部
２２  固定座
３，３Ａ  電線受け部
３１  電線支持板
３１１，３１１Ａ  第一板部
３１２，３１２Ａ  第二板部
３１３  第三板部
３２  板支持部
９  コネクタ付電線
９１  電線
９１０  電線端部
９２  コネクタ
【図１】
0005979106.tif 000002
【図２】
0005979106.tif 000003
【図３】
0005979106.tif 000004
【図４】
0005979106.tif 000005
【図５】
0005979106.tif 000006